Podtech/llm-jp-corpus-v4-ja_patent huggingface dataset:
(57)【要約】【課題】天秤を使った魚釣において、魚の急激な引きに対し、コマセ籠やビシ又は天秤自体の水中抵抗により、ハリスが破断されることが多かった。また、カモシ天秤などの従前の天秤では、材質的にＰＥラインとの相性が悪く、ＰＥラインを使った場合、天秤を傷つけたり、道糸側にＰＥラインより強度が弱くまた、水中抵抗が大きい上に感度の悪いナイロンラインや、フロロカーボンラインを使わざるを得なかった。また、ＳＩＣガイドは衝撃に弱く撚り戻しなどの衝突により破損することがあった。【解決手段】天秤にＳＩＣガイドを複数装着し、道糸やハリスの滑り出しを良くし、竿やリールの操作の力が作用する部分に位置するＳＩＣガイドのハリス側に、ラインに触れないようにストッパーとなる保護ガイドを設ける。この保護ガイドの働きでＳＩＣの破損を防ぐことができ、ＳＩＣガイドの働きで天秤やコマセビシの抵抗を避けることができる。【選択図】図１
2007185173.tif 000002
【特許請求の範囲】
【請求項１】
釣り用天秤に、道糸とハリスを直結したラインシステムを挿通する為の、ＳＩＣ（シリコンカーバイト）ガイドを複数装着したことを特徴とする釣り用天秤。
【請求項２】
前記ＳＩＣガイドのなかで、竿やリールの操作の力が作用する部分に位置するＳＩＣガイドのハリス側に、ＳＩＣの破損を防ぐ為に保護ガイドを設けたことを特徴とする請求項１記載の釣り用天秤。
【発明の詳細な説明】
【技術分野】
【０００１】  この発明は、釣り用天秤の形状に関する。
【背景技術】
【０００２】  従来の釣り用天秤は図３の様に道糸４とハリス５部分が天秤部材を介して接続されており、その天秤にコマセ籠やビシ又はそれらが一体となったコマセビシ６を接続するものである。又、図４のカモシ天秤の様に天秤のハリス側のガイドが大きく、魚の引きに応じて道糸が滑り出す機能を持ったもので、道糸にナイロンやフロロカーボンラインを使用しているものである。
【発明の開示】
【発明が解決しようとする課題】
【０００３】しかしながら、以上の技術によれば、掛かった魚が大型で急に強く走り始めた時に、天秤に接続されたコマセ籠やビシ又はそれらが一体となったコマセビシ６と天秤自体の水中抵抗により、竿とリールを使ったやり取りをする前にハリスが破断されることが多かった。【０００４】また、図４に示すカモシ天秤の様な道糸が滑り出す機能を持ったものでも、道糸に細くて強いＰＥ（ポリエチレンマルチフィラメント）ラインを使った場合は材質的にＰＥラインの方が強度的に勝るので、天秤を傷つけたりして使用に耐えず、道糸側にＰＥラインより強度が弱くまた、水中抵抗が大きい上に感度の悪いナイロンラインや、フロロカーボンラインを使わざるを得なかった。その為、魚の喰いの良い細いハリスが使用できず、潮の流れの速いときは抵抗が大きい為仕掛が流されて非常に釣りづらいものであった。【０００５】また、竿などに良く使われているＳＩＣ（シリコンカーバイト）ガイドは硬質で滑り抵抗も少なく摩擦熱の発生も小さいのであるが、撚り戻しなどの硬い接続具の衝突に弱く割れる事がたびたびあった。【０００６】  そこで、この発明は、不意の大物にも対応できるように、道糸の滑り出し抵抗を限りなくゼロに近づけて天秤やビシの水中抵抗を避け、できる限り細い道糸やハリスを使い、自分の腕で、竿やリールを駆使して魚とのやり取りができる釣り用天秤を提供することと、コマセビシの振出しや疑似餌の繰返し操作にも長期に耐えられる釣り用天秤を提供することを課題とする。
【課題を解決するための手段】
【０００７】  以上の課題を解決するために、第一発明は、天秤に道糸とハリスを直結したラインシステムを挿通するための、ＳＩＣガイドを複数装着したことを特徴とする釣り用天秤である。
また、第二発明は、竿やリールの操作の力が作用する部分に位置するＳＩＣガイドのハリス側に、ＳＩＣの破損を防ぐ為に保護ガイドを設けたことを特徴とする釣り用天秤である。
【発明の効果】
【０００８】  第一発明によれば、急な魚の引きに対し、天秤に装着したＳＩＣガイドの働きで、天秤やコマセビシの水中抵抗を考慮する事無く、これまでより細い道糸やハリスを使うことができ、自分の腕で、竿やリールを駆使して直接魚とのやり取りができる。
また第二発明によれば、コマセの振出しや疑似餌の繰返しの操作において、保護ガイドの働きで、高価なＳＩＣガイドを直接破損することが無く、長期の使用に耐えられる釣り用天秤となる。
【発明を実施するための最良の形態】
【０００９】  この発明の一実施形態を、図１に示す。
この天秤の道糸４側端部に道糸導入用ＳＩＣガイド１を取付け、ハリス側端部に、道糸とハリスの接続部分３が抵抗無く通過できる大きさのＳＩＣガイド１を装着し、コマセビシ６取付け部分より道糸４側に中間のＳＩＣガイド１とＳＩＣガイドを挿通したラインが触れないように、また、道糸とハリスの接続部分のストッパーとなる大きさの保護ガイド２を取付け、竿やリールを使った操作の力が作用する部分とする。【００１０】「実施形態の効果」
この実施形態によれば、ＳＩＣガイド１の働きで、道糸４やハリス５の滑りがよく、また、保護ガイド２を装着したことで、コマセの振出しや疑似餌の繰返し操作において道糸４とハリス５の連結部分３が竿やリールの操作の力が作用する部分に位置するＳＩＣガイド１に直接触れず、破損するおそれが無くなる。【００１１】「他の実施形態」
図１の実施形態では、天秤のコマセビシ６取付け部の近くに中間のＳＩＣガイド１と保護ガイド２を取り付けたが、他の実施形態図５、図６では、この中間部分を止め、天秤の道糸４側の端にＳＩＣガイド１と保護ガイド２を取付け、竿とリールの操作の力が作用する部分としたものでも良い。
【図面の簡単な説明】
【００１２】
【図１】この発明の一実施形態を示す斜視図である。
【図２】この発明の一実施形態を示す側面図である。
【図３】従来技術を示す斜視図１である。
【図４】従来技術を示す斜視図２である。
【図５】他の実施形態を示す斜視図１である。
【図６】他の実施形態を示す斜視図２である。
【符号の説明】
【００１３】１  ＳＩＣガイド          ２  保護ガイド        ３  接続具
４  道糸                  ５  ハリス            ６  コマセビシ
【図１】
2007185173.tif 000003
【図２】
2007185173.tif 000004
【図３】
2007185173.tif 000005
【図４】
2007185173.tif 000006
【図５】
2007185173.tif 000007
【図６】
2007185173.tif 000008
(57)【要約】【課題】１．乾燥大豆の皮を剥離する方法。２．剥離させた大豆に調味料液をいかに吸収させるか。３．調味料液を含ませた大豆を高温度の食用油でカリッとソフトに揚げることができるか。【解決手段】１．乾燥大豆をお湯と水とを使い分けして、その皮に皺ができ、さらに袋状になる。それを脱皮機にて剥離させればよい。２．剥離させた大豆に調味料液を時間をかけて浸漬する事により商品としての味全体を整える事ができる。３．剥離大豆を高温の食用油で揚げる事により、それが瞬時に水分を蒸発するので大豆の各部に空洞ができ、カリッとソフトに商品として仕上げる事ができる。【選択図】図３
2007185172.tif 000002
【特許請求の範囲】
【請求項１】
当該発明に於いて、乾燥大豆をお湯と水を使い分けて浸漬させると大豆の表面に皺ができさらに袋状になる。それを脱皮機にて皮を剥離する。
【請求項２】
当該発明に於いて、調味料液を事前に用意する、そして剥離させた大豆を時間をかけて豆全体に味が吸収するまで浸漬する。また調味料以外に色々な食品エキスの単独、または組合せを問わず使用できる。
【請求項３】
当該発明に於いて、味を吸収させた大豆を食用油１５０〜１７０℃で揚げることにより瞬時に水分が蒸発する。それによって大豆の各部に空洞ができるのでカリッとソフトに商品を製造する事ができる。
【発明の詳細な説明】
【技術分野】
【０００１】当該発明に於いては、大豆の皮を剥離させ調味料液に浸漬させて食用油で揚げる製造工程に関するものである。
【背景技術】
【０００２】昔から現在まで大豆の利用方法は食油、煮る、焼く、粉にして黄粉にして利用するしか方法はなかった。
【発明の開示】
【発明が解決しようとする課題】
【０００３】乾燥大豆の皮をいかに剥離させるかという課題【０００４】皮を剥離させた大豆にいかに調味料液を豆全体に味を吸収させるかという課題【０００５】食用油でカリッとソフトに揚げるという課題
【課題を解決するための手段】
【０００６】乾燥大豆を８０〜９０℃のお湯に３〜４分漬けて１〜２分水に通すと大豆の表面に皺ができ袋状になる。したがって簡単に皮を剥離させる事ができる。【０００７】事前に調味料液を用意して剥離した大豆を時間をかけてその中心部まで吸収させる。【０００８】調味料液を吸収した大豆を高温の食用油であげると水分が蒸発するので大豆の各部に空洞ができるのでカリッとソフトに作る事ができる。
【発明の効果】
【０００９】当該発明商品は野菜サラダのトッピング、ヨーグルトと一緒に食べたり、牛乳をかけて食べたりと色々と利用が可能である。また菓子業界の素材として新商品開発の一端に寄与できて消費の拡大につながる。
【発明を実施する為の最良の形態】
【００１０】当該発明の実施にあたりピーナッ加工業界で利用している脱皮機、揚げ釜、脱油分離機、網目冷却コンベヤーを利用したが以下の実施例に従って説明するが本発明はこれに限定したものではない。
【実施例】
【００１１】乾燥大豆２０Ｋｇと食用油４０Ｋｇまた調味料液として（水５６Ｋｇと醤油３Ｋｇ５００ｇと塩５００ｇを混合）を用意した。
１：実施年月日  平成１７年９月２６日
２：８０〜９０℃のお湯に乾燥大豆２０Ｋｇを３〜４分浸漬させ、水に１〜２分通した。
３：脱皮機にて大豆の皮を剥離させる。
４：調味料液６０Ｋｇの中に剥離させた大豆を浸漬させる。
５：食用油４０Ｋｇに１５０〜１７０℃まで加温する、その中に調味料液を吸収させた大豆５Ｋｇを入れて４〜５分かけて揚げる。
６：揚げた大豆を脱油分離機で搾る。
７：搾った揚げ大豆を網目冷却コンベヤーで冷却して商品とした。
【産業上の利用可能性】
【００１２】当該発明に於いては、菓子業界の素材として利用が可能である。また消費者の時代のニーズにマッチした活用方法も生まれるので産業として展開が可能である。
【図面の簡単な説明】
【００１３】
【図１】    乾燥大豆と加温水
【図２】    脱皮機
【図３】    調味料液浸漬
【図４】    揚げ釜
【図５】    脱油分離機
【図６】    網目冷却コンベヤー
【符号の説明】
【００１４】１：加温水
２：乾燥大豆
３：加温した大豆
４：ゴムローラー
５：電動モーター
６：剥離大豆
７：調味料液
８：剥離大豆
９：食用油
１０：味を吸収させた大豆
１１：火力
１２：脱油分離バスケット
１３：揚げ大豆
１４：電動モーター
１５：網目冷却コンベヤー
１６：冷却大豆
１７：完成した商品
【図１】
2007185172.tif 000003
【図２】
2007185172.tif 000004
【図３】
2007185172.tif 000005
【図４】
2007185172.tif 000006
【図５】
2007185172.tif 000007
【図６】
2007185172.tif 000008
(57)【要約】【課題】腰痛の緩和・軽減や長時間のうつ伏せ寝姿勢を快適に補助し、うつ伏せ寝での読書・テレビ鑑賞等を補助する寝具を提供する事。【解決手段】腰を反らせる姿勢になるように胸下部に傾斜を設け、長時間の使用に耐えられるように枕部に穴をあけ顔を真下に向けられる形状にし、又、顔のせ枕を枕穴部に装着する事により、この課題を解決する。【選択図】  図３
2007185334.tif 000002
【特許請求の範囲】
【請求項１】
胸下部に傾斜をつけ、枕部中央に穴をあけた事を特徴とする寝具
【請求項２】
請求項１の寝具に顔のせ枕を装着した事を特徴とする寝具
【発明の詳細な説明】
【技術分野】
【０００１】
本発明は、寝具に関するものであり、胸下部に傾斜をつける事によって、腰を反らせて
腰痛の緩和・軽減ができ、枕部中央に穴をあける事によって、顔を下向きにできるため長
時間のうつ伏せ寝を可能にするものである。
【背景技術】
【０００２】
従来から、うつ伏せ寝用の寝具はあまり無く、また病気の療養などで常に臥姿勢をとら
ざるを得ない人の腰痛の緩和・軽減、長時間のうつ伏せ寝を補助するものが無かった。
【発明の開示】
【発明が解決しようとする課題】
【０００３】
従来のような形状の枕では、うつ伏せに寝た場合、顔を前方か左右に曲げなければなら
ず、少なからず頸部への負担がかかるので長時間の使用は困難である。本発明はこのよう
な頸部への負担を取り除き、楽な姿勢で長時間使用できる寝具が無いという不都合と、腰
痛の緩和・軽減ができる寝具が無いという不都合を解決する事を課題とする。
【課題を解決するための手段】
【０００４】
この課題を解決するための請求項１の発明は、胸下部に傾斜をつける事により腰を反ら
せ、腰痛の緩和・軽減をはかり、枕部中央に穴をあける事により顔を下向きにできるため
、長時間の使用が可能になった事を特徴とする、うつ伏せ寝用寝具である。
【０００５】
また、請求項２の発明は、請求項１の寝具に顔のせ枕を装着する事を特徴とする、うつ
伏せ寝状態での読書・テレビ鑑賞等を補助する寝具である。
【発明の効果】
【０００６】
本発明により、腰を反らせる姿勢にする事により、腰痛の一時的な緩和・軽減ができ、
首を前方・左右に曲げずに済む事で楽な姿勢で長時間のうつ伏せ寝ができる。また、顔の
せ枕を装着する事により、読書やテレビ鑑賞等にも使用できる。
【発明を実施するための最良の形態】
【０００７】
以下、本発明を実施するための最良の形態について説明する。下腹部から首にかけて傾
斜を設ける事により（符号１）、腰を反らせて腰痛の緩和・軽減ができる。顔下部分は一
段低くする事で（符号２）無理なく顔をのせられ、穴部（符号３）には空気孔（符号４）
を設ける事により呼吸も問題なくできる。また、顔のせ枕（符号５）を装着する事により
、読書やテレビ鑑賞等の日常的使用もできる。
【産業上の利用可能性】
【０００８】
本発明に係る寝具は、工業的に量産する事が可能であるため、産業上の利用可能性を有
する。
【図面の簡単な説明】
【０００９】
【図１】本発明の立面図である。
【図２】本発明の平面図である。
【図３】本発明の斜視図である。
【符号の説明】
【００１０】
１  胸下傾斜部
２  段差部分
３  空気孔
４  顔のせ枕
【図１】
2007185334.tif 000003
【図２】
2007185334.tif 000004
【図３】
2007185334.tif 000005
【手続補正書】
【提出日】平成18年1月25日(2006.1.25)
【手続補正１】
【補正対象書類名】明細書
【補正対象項目名】００１０
【補正方法】変更
【補正の内容】
【００１０】
１  胸下傾斜部
２  段差部分
３  顔のせ部
４  空気孔
５  顔のせ枕
(57)【要約】【課題】従来のミル（コーヒー豆などの粉砕機）は、豆類等を粉砕するのは簡単だが、粉砕した粉を清掃で完全に取り去るのが一苦労だった。取り残しは食品の粉のため腐りやすく、衛生上も問題であり、風味が次回の装置使用時に悪くなった。【解決手段】超音波洗浄装置を取り付けたミル（コーヒー豆などの粉砕機）。【選択図】図１
2007185337.tif 000002
【特許請求の範囲】
【請求項１】
超音波洗浄装置を取り付けたミル（コーヒー豆などの粉砕機）でミル部とモーター部が清掃時に分離する形態のもの。
【請求項２】
全てを一体化した請求項１記載の超音波洗浄装置を取り付けたミル。
【発明の詳細な説明】
【技術分野】
【０００１】
この発明は、超音波洗浄装置を取り付けたことを特徴とするミル（コーヒー豆などの粉砕機）。
【背景技術】
【０００２】
従来のミルには超音波洗浄装置はとりつけられていない。市販品の、超音波歯ブラシの構造を参考にする。
【発明の開示】
【発明が解決しようとする課題】
【０００３】
従来技術によれば、豆類等を粉砕するのは簡単だが、粉砕した粉を清掃で完全に取り去るのが一苦労だった。コーヒー等は挽きたてが風味は良いが、後始末を考えるとつい挽いてある豆を購入してしまう。取り残しは食品の粉のため腐りやすく、衛生上も問題であり、次回の装置使用時に風味が悪くなった。
【課題を解決するための手段】
【０００４】
以上の課題を解決するために、第一発明は、充電式超音波歯ブラシに使用されている部品をミルでの超音波洗浄に適した仕様としたものを取り付け、ミル部とモーター部が清掃時に分離する形態のもの。また、第二発明は、全てを一体化した構造とする。この場合は内蔵式充電式電池は不要となる。
【発明の効果】
【０００５】
簡単に装置の清掃が出来衛生的である。前回粉砕した材料の臭いで新たに加工する材料の風味が損なわれない。色々な材料の粉砕を１つの道具で実施できる。錠剤型薬品等の摂取が容易となる。
【発明を実施するための最良の形態】
【０００６】
この発明の一実施形態を、図１に示す。外形は通常のミルと同じなので、本考案の特長が理解し易いミル部分の断面図を図１とした。ミル部内壁内粉砕槽内側の清掃に適した仕様の超音波発振器を取り付ける。ミル部内部に充電式電池を取り付ける。電池への給電はモーター部より、非接触式端子を使用し常時充電する。ミル部は防水仕様とする。ミル部を複数使用することも出来る。一体型も出来る部分迄防水仕様とする。但し超音波による清掃だけで全ての残存物が除去出来るわけではなく、従来のブラシによる清掃もたまには必要である。
通常のミルの清掃手順は以下のとおり
ミル部を取り外し軽く叩いて粉砕槽の残存物を落とす。
基準水面まで水、又はぬるま湯を注ぎます。
タイマースイッチを入れ、超音波により清掃します。
浮き上がった残存物と洗浄水を流して捨てます。
ミル部の水気を取り去ってからモーター部に合体させ、内蔵電池を充電します。
【０００７】
「実施形態の効果」
ブラシ等による清掃では、時間をかけてもきれいにならなかったものが、短時間で簡単に清掃出来る。
【０００８】
「他の実施形態」
超音波による洗浄機能を内蔵しながら、様々な形のデザインが可能である。粉砕時にも、清掃時より弱い超音波を使用することにより、より繊細な粉砕が可能となる。
【図面の簡単な説明】
【０００９】
【図１】この発明の一実施形態を示す断面図である。
【図２】この発明の一実施形態を示す斜視図である。
【符号の説明】
【００１０】
「図１」における符号
１  分離式ミル部                        ２  タイマー式洗浄スイッチ
３  超音波発振素子                      ４  ミル内壁粉砕槽
５  水位表示                            ６  透明カバー
７  回転刃                              ８  非接触充電式電池
９  充電用非接触型電極（ミル側）モーター側と位置合わせ機構付き
１０ミル主軸とモーター部の接合機構                  
「図２」における符号
１  タイマー式洗浄スイッチ              ２  分離式ミル部
３  透明カバー                          ４  タイマー式ミルスイッチ
５  モーター部  ミル部電池への給電機構を内蔵
【図１】
2007185337.tif 000003
【図２】
2007185337.tif 000004
(57)【要約】【課題】  エアースプレーガンを色々な場所へ簡単に置くことが出来る簡易型ガンスタンドを提供する。【解決手段】  ワンタッチ装着具付雄型容器をワンタッチ固定台雌型及びワンタッチ移動台雌型を交換することにより色々な場所にエアースプレーガンを置くことが出来るようにした簡易型エアースプレーガンスタンド。【選択図】図１
2007185645.tif 000002
【特許請求の範囲】
【請求項１】
（イ）ワンタッチ装着具付雄型容器（１）に切り込みを入れ塗料カップを支持しやすいように加工する。
（ロ）ワンタッチ装着具付雄型容器（１）を固定させるためにワンタッチ固定台雌型（２）をワンタッチ加工したものに固定金具（３）を取り付けそれに蝶ネジ（４）を付け台の端などに固定出来るようにする。
（ハ）ワンタッチ装着具付雄型容器（１）を色々なところに置くためにワンタッチ移動台雌型（５）をワンタッチ加工したものに重り型永久磁石（６）を取り付け安定させるようにする。
本発明は以上のような構成よりなる簡易型ガンスタンド。
【発明の詳細な説明】
【技術分野】
【０００１】  本発明は、エアースプレーガンを安定させて置けるようにしたもので、安定の悪い塗料カップを抱え込むように支持をさせ、エアースプレーガンが倒れないように工夫し、台座アタッチメントの交換により色々な場所に置けるようにした簡易型エアースプレーガンスタンドに関するものである。
【背景技術】
【０００２】  従来、エアースプレーガンの形状から安定が悪く、手軽に置くことが出来なく壁据付のものや、床に置くような専用のものがあった。
【発明の開示】
【発明が解決しようとする課題】
【０００３】  そのために、次のような問題点があった。
（イ）エアースプレーガンは安定が悪いため転倒し塗料がこぼれた。
（ロ）エアースプレーガンにエアーホースを付けたまま置くためには、今までは専用のものを使用しなければならず、そのための場所を取っていた。
（ハ）今までのものでは色々な場所に置くことが出来ず、塗料の補充の際に不便だった。
【課題を解決するための手段】
【０００４】（イ）ワンタッチ装着具付雄型容器（１）に切り込みを入れ塗料カップを支持しやすいように加工する。
（ロ）ワンタッチ装着具付雄型容器（１）を固定させるためにワンタッチ固定台雌型（２）をワンタッチ加工したものに固定金具（３）を取り付けそれに蝶ネジ（４）を付け台の端などに固定出来るようにする。
（ハ）ワンタッチ装着具付雄型容器（１）を色々なところに置くためにワンタッチ移動台雌型（５）をワンタッチ加工したものに重り型永久磁石（６）を取り付け安定させるようにする。
本発明は以上のような構成よりなる簡易型エアースプレーガンスタンドである。
【発明の効果】
【０００５】  塗料カップを補助具で抱え込むように支持し転倒しないようにしてエアースプレーガンのバランスを保たせ台座アタッチメントの交換により、机の上などに置いたり机の端に固定させたり、塗料の補充の際簡単に置くことが出来るものである。
【発明を実施するための最良の形態】
【０００６】  以下、本発明の実施の形態について説明する。
（イ）ワンタッチ装着具付雄型容器（１）に切り込みを入れ塗料カップを支持しやすいように加工する。
（ロ）ワンタッチ装着具付雄型容器（１）を固定させるためにワンタッチ固定台雌型（２）をワンタッチ加工したものに固定金具（３）を取り付けそれに蝶ネジ（４）を付け台の端などに固定出来るようにする。
（ハ）ワンタッチ装着具付雄型容器（１）を色々なところに置くためにワンタッチ移動台雌型（５）をワンタッチ加工したものに重り型永久磁石（６）を取り付け安定させるようにする。
本発明は以上のような構成である。
これを使用するときは、ワンタッチ装着具付雄型容器（１）とワンタッチ固定台雌型（３）に固定するための固定金具（４）を取り付け蝶ネジ（５）を使って固定台に取り付けてエアースプレーガンを置くことが出来る。
また、ワンタッチ装着具付雄型容器（１）をワンタッチ移動台雌型（５）へ簡単に置けるよう重り型永久磁石（６）を付け、エアースプレーガンを平らな場所に置くことが出来る。
【図面の簡単な説明】
【０００７】
【図１】本発明の斜視図である。
【図２】本発明の容器の斜視図である。
【図３】本発明の固定台の斜視図である。
【図４】本発明の他の実施例を示した斜視図である。
【図５】本発明の移動台の斜視図である。
【符号の説明】
【０００８】  １  ワンタッチ装着具付雄型容器
２  ワンタッチ固定台雌型
３  固定金具
４  蝶ネジ
５  ワンタッチ移動台雌型
６  重り型永久磁石
【図１】
2007185645.tif 000003
【図２】
2007185645.tif 000004
【図３】
2007185645.tif 000005
【図４】
2007185645.tif 000006
【図５】
2007185645.tif 000007
(57)【要約】【課題】組み立てが容易で、陳列時の外観にも優れた商品陳列具を提供する。【解決手段】複数のトレー１を背板２に回転軸３を中心として揺動自在に取り付け、トレー１が背板２の内側に納まった内収状態と、トレー１が背板２の外側へ張り出した外拡状態とに変換可能とした商品陳列具において、背板２にガイド用長穴４を形成し、トレー１の背面に係止部５を突設して、長穴４に係止部５をスライド自在に挿通し、長穴４に対する係止部５の相対移動に伴い、トレー１が背板２に対して動くようにする。長穴４の両端に係止部５が当接して、トレー１の動きが規制されるので、トレー１同士を連結する部材を設ける必要がなく、トレー１を背板２に所定範囲で動くように容易に取り付けることができる。また、陳列時における外観も簡素で商品を引き立てるものとなる。【選択図】図２
2007185298.tif 000002
【特許請求の範囲】
【請求項１】
複数のトレー１を背板２に可動的に取り付け、トレー１が内側に納まった内収状態と、トレー１が外側へ張り出した外拡状態とに変換可能とした商品陳列具において、背板２又はトレー１の一方にガイド用長穴４を形成し、他方に係止部５を突設して、長穴４に係止部５をスライド自在に挿通し、長穴４に対する係止部５の相対移動に伴い、トレー１が背板２に対して動くようにしたことを特徴とする商品陳列具。
【発明の詳細な説明】
【技術分野】
【０００１】
この発明は、商品の配送に使用すると共に、店頭に吊下又は設置して、商品の陳列に使用する陳列具に関するものである。
【背景技術】
【０００２】
従来、この種の陳列具として、下記特許文献１には、図６に示すようなものが記載されている。この陳列具は、左右対となったトレー５１を背板５２に回転軸５３を中心として揺動自在に取り付け、両側のトレー５１の内側面の上端を、中央に折目線５４を有する連結片５５で繋いだ構成とされている。
【０００３】
この陳列具を使用して、トレー５１に商品Ｇを収納した状態で店舗へ配送する際には、連結片５５を折り畳んで、トレー５１が背板５２の内側に納まった内収状態としておき、店頭で商品Ｇを陳列する際には、連結片５５の反発に伴い、トレー５１が外側へ揺動して背板５２から張り出した外拡状態とし、連結片５５でトレー５１の角度を規制する。
【０００４】
【特許文献１】実開昭６０−１２０９１１号公報
【発明の開示】
【発明が解決しようとする課題】
【０００５】
しかしながら、上記のような陳列具では、連結片５５で繋がった左右対のトレー５１の組み立てに手間がかかるほか、商品の陳列時に、連結片５５が視覚的に煩わしく感じられるという問題がある。
【０００６】
そこで、この発明は、組み立てが容易で、陳列時の外観にも優れた商品陳列具を提供することを課題とする。
【課題を解決するための手段】
【０００７】
上記課題を解決するため、この発明は、複数のトレーを背板に可動的に取り付け、トレーが内側に納まった内収状態と、トレーが外側へ張り出した外拡状態とに変換可能とした商品陳列具において、背板又はトレーの一方にガイド用長穴を形成し、他方に係止部を突設して、長穴に係止部をスライド自在に挿通し、長穴に対する係止部の相対移動に伴い、トレーが背板に対して動くようにしたのである。
【発明の効果】
【０００８】
このような商品陳列具では、長穴の両端に係止部が当接して、トレーの動きが規制されるので、トレー同士を連結する部材を設ける必要がなく、トレーを背板に所定範囲で動くように容易に取り付けることができる。また、陳列時における外観も簡素で商品を引き立てるものとなる。
【発明を実施するための最良の形態】
【０００９】
以下、この発明の実施形態を添付図面に基づいて説明する。
【００１０】
図１乃至図３に示すように、この商品陳列具は、左右対とした上下３段のトレー１を、背板２に回転軸３を中心として揺動自在に取り付け、背板２に形成した弧状の長穴４に、トレー１の背面に突設した係止部５をスライド自在に挿通したものであり、トレー１が背板２の内側に納まった内収状態と、トレー１が背板２の外側へ張り出した外拡状態とに変換可能とされ、吊紐Ｓで吊り下げられるようになっている。
【００１１】
図４に示すように、板紙を貼り合わせた合紙から成る背板２には、長穴４のほか、回転軸３を挿通する丸穴６と、吊紐Ｓを挿通する丸穴７とが形成されている。
【００１２】
図５に示すように、板紙から成る左右のトレー１のそれぞれのブランクでは、上部が切れ込んだ前板８の両側に、後部が高くなる側板９が連設され、一方の側板９に後板１０及び継代片１１が順次連設されている。前板８、側板９及び後板１０の下縁には、それぞれ底板１２，１３，１４が連設されている。後板１０には、回転軸３及び係止部５をそれぞれ挿通する丸穴１５，１６が左右対称となるように形成されている。
【００１３】
このブランクは、前板８、一対の側板９及び後板１０を角筒状に折り曲げ、継代片１１を反対側の側板９に貼り付け、底板１２，１３，１４を閉じて噛み合わせることにより組み立てられる。
【００１４】
そして、トレー１を背板２に取り付ける際には、丸穴１５と丸穴６とに回転軸３を挿通し、丸穴１６と長穴４とに係止部５を挿通する。回転軸３及び係止部５としては、抜止鋲付きのプラスチック製ビスを用いる。
【００１５】
上記のような陳列具では、長穴４の両端に係止部５が当接して、トレー１の動きが規制されるので、トレー１同士を連結する部材を設ける必要がなく、トレー１を背板２に所定範囲で動くように容易に取り付けることができる。また、陳列時における外観も簡素で商品を引き立てるものとなる。
【００１６】
なお、この実施形態では、背板２に長穴４を、トレー１に係止部５を設けているが、トレー１に長穴４を、背板２に係止部５を設けるようにしてもよい。
【００１７】
また、トレー１が回転軸３を中心として揺動するようにしたが、回転軸３を用いることなく、直線状の長穴４に沿って水平方向にスライドするようにしてもよい。
【００１８】
さらに、トレー１と背板２とに、複数条の長穴４を相互に形成して、それぞれの長穴４に互いの係止部５をスライド自在に挿通し、トレー１が安定して動くようにしてもよい。
【００１９】
そのほか、トレー１が左右対となった縦方向の２列でなく、１列又は３列以上に並ぶようにしてもよい。
【００２０】
また、係止部５は、この実施形態で使用したプラスチック製ビスのほか、種々の係止部材や、後板１０の切り起こしによるものであってもよい。
【図面の簡単な説明】
【００２１】
【図１】この発明の実施形態に係る商品陳列具の内収状態を示す斜視図
【図２】同上の外拡状態を示す斜視図
【図３】同上の一部拡大背面図
【図４】同上の背板を示す図
【図５】同上のトレーのブランクを示す図
【図６】従来の商品陳列具の外拡状態を示す斜視図
【符号の説明】
【００２２】
１  トレー
２  背板
３  回転軸
４  長穴
５  係止部
６，７  丸穴
８  前板
９  側板
１０  後板
１１  継代片
１２，１３，１４  底板
１５，１６  丸穴
【図１】
2007185298.tif 000003
【図２】
2007185298.tif 000004
【図３】
2007185298.tif 000005
【図４】
2007185298.tif 000006
【図５】
2007185298.tif 000007
【図６】
2007185298.tif 000008
(57)【要約】【課題】  本発明は次々増えるカードや名刺に対応し、分類・整理並びに、取出しはスムーズで、なだれ落ちる事がなく多種多様なカードに対応出来るコンパクトなカード入れに関する。【解決手段】  接続部として残して全体が開閉する収納体の接続部内側に複数の固定バンドを設け、固定バンドで折り返し取り付けられるカードや名刺を収納するカード室及び端部にカード収納体表示部を有する複数のカード収納体を設け、複数の固定バンドによりカード収納体を増減出来ることを特徴とするカード入れ。【選択図】図３
2007185936.tif 000002
【特許請求の範囲】
【請求項１】
接続部として残して全体が開閉する収納体の接続部内側に複数の固定バンドを設け、固定バンドで折り返し取り付けられるカードや名刺を収納するカード室及び端部にカード収納体表示部を有する複数のカード収納体を設け、複数の固定バンドによりカード収納体を増減出来ることを特徴とするカード入れ。
【請求項２】
収納体内部にチケットやシール等を収納する補助ポケットを設けたことを特徴とする請求項１記載のカード入れ。
【請求項３】
カード室にカードを封入することを特徴とする請求項１又は２記載のカード入れ。
【請求項４】
分類表示部がインデックスであることを特徴とする請求項１，２又は３記載のカード入れ。
【発明の詳細な説明】
【技術分野】
【０００１】  本発明は次々増えるカードや名刺に対応し、分類・整理並びに、取り出しはスムーズで、なだれ落ちる事がなく多種多様なカードに対応出来るコンパクトなカード入れに関する。
【背景技術】
【０００２】  従来は両開き表紙式でカード入れが複数設けられた物があった。
【発明の開示】
【発明が解決しようとする課題】
【０００３】  ところが、カード、名刺は増える一方、現在のカード入れでは出し入れが困難且つ、増やす事が出来ない。又、向きによってカードがすぐなだれ落ちる。また分類・整理が出来ず雑然と収納しているので捜しまわり、使う時に見つからないことがあった。また本体の作りも材質がハードな為、収納数の割には本体がかさ張っている。
【問題を解決するための手段】
【０００４】  接続部として残して全体が開閉する収納体の接続部内側に複数の固定バンドを設け、表示部を有する複数のカード収納体を設け、複数の固定バンドによりカード収納体を増減できるようにしたカード入れである。
【発明の効果】
【０００５】  本発明は上記の問題を解決することで、次々増やせて分類・整理が出来、取出しがスムーズでなだれ落ちる事がなく、多種多様なカード等に対応が出来、コンパクトで携帯しやすい。さらに詳述すれば。
・次々カードが増えても袋を追加で出来る
・全体をファスナーでカバーしているのでカードがなだれ落ちない
・ファスナーを全開しなくても図１のファスナーの位置位で上から簡単にカードを取り出す事が出来る
・袋は一箇所固定バンドで留めているのでかさばらない
・本体はソフト仕様によりコンパクトで手やカバンよくなじみ携帯に最適である。
・本体両サイドに内ポケットがあることでシールや金券等の多種多様なカードに対応出来る
・ジッパー等の開閉手段をカード室に設ける事で大事なカードも安心できる
・分類表示部は表示・色別で分類されているので、簡単にカードを見つけ、取り出すとができる。インデックスの役割をして操作しやすい
【発明を実施する為の最良の形態】
【０００６】  以下本発明を実施するための形態について説明する
本発明は主材に布地を用いて長方形状とした収納体１と複数の細長状の固定バンド６、収納体１の大きさよりタテ、ヨコがやや小さ目で透明のカード収納体３から構成される。（図３）
収納体１は図３に示すように一辺を残して、ファスナー２で全体を開閉できる形状となっている。
収納体１は中央で折り返されるもので開放辺に接続部１１が設けられ、開放する為のファスナー２が接続部１１を残して周囲に設けられたものである。（図３）
ファスナー２はファスナー金具８を二ケ有し、それぞれで開閉可能となっている。（図１）
収納体１の内側には、折り返し部１０方向にシールや金券の挿入できる補助ポケット７が両側に設けられている。（図３）
固定バンド６は面ファスナー（オス・メス接着タイプ）のオス付きが収納体１の接続部１１両端の片方に取り付けられ、もう一方には同じ面ファスナーのメス１３のみを取り付ける。（図４）
複数の固定バンド６を利用して、開閉式でカード収納体３を次々増やす事ができる。（図４）
カード収納体３は、中央を折り返し部１０とした両端にカード１２を収納するカード室４が左右に設けられている。又、カード収納体３の端部には、各カード室４に対応した分類表示部５が設けられている。（図５，６）
図における事例ではシール９が利用され、これにペンでカード１２の分類が記載できるようになっている。（図３，５）
本発明は以上のような構成からなるカード入れである。
これを使用する時は、収納体１のファスナー２を下まで下ろし、全開の状態でカード収納体３の折り返し部１０をブロックごとに（適宜）固定バンド６で留める。（図３）
目的に沿ったカード１２を各ブロックごとに一箇所にまとめ、収納できるので利便性もあり，且つ大変コンパクトである。（図３，４）
カード収納体３は透明なので，折り返すことによりカード室４にカード１２の裏同士を重ねているので，表面のカード１２が何のカード１２であるか分かりやすい。（図５，６）
カード収納体３は両端左右にカード室４が有り、そのカード室４には裏同士重ねたカード１２が各々２枚ずつ入るので、カード収納体３一枚につき、カード１２が四枚収納できる。よって、カード収納体３が二枚でカード１２を八枚収納、カード収納体３が三枚でカード１２を十二枚収納ということである。（図５，６）
カード収納体３に表示部５を設け、表示・色別（追加可能）等で分類整理できる。（図５，６）
カード収納体３の分類表示部５及びジッパー付カード室４等で分類整理す。
ファスナー２を下まで下ろした全開の状態でカード収納体３は、折り返し部１０を固定バンド６で留めて増やす事ができる。（図３）
追加は固定バンド６をはずし、新しいカード収納体３を上に重ねて固定バンド６で留めて増やす事ができる。（図４）
収納体１は上から４分の１位（図１のファスナー金具８の位置）開けただけで、カード１２が取り出せる。
分類整理が出来ているので、捜しまわる必要はない。
【図面の簡単な説明】
【０００７】
【図１】  本発明の正面図
【図２】  本発明の側面図
【図３】  本発明を開いた状態を示す図
【図４】  本発明の固定バンドの端面図
【図５】  本発明のカード収納体の全体図
【図６】  本発明のカード収納体の断面図
【符号の説明】
【０００８】  １  収納体
２  ファスナー部
３  カード収納体
４  カード室
５  分類表示部
６  固定バンド（面ファスナーオス付）
７  補助ポケット
８  ファスナー金具
９  シール
１０  折り返し部
１１  接続部
１２  カード
【図１】
2007185936.tif 000003
【図２】
2007185936.tif 000004
【図３】
2007185936.tif 000005
【図４】
2007185936.tif 000006
【図５】
2007185936.tif 000007
【図６】
2007185936.tif 000008
(57)【要約】      （修正有）【課題】犯罪の防止、及び検挙、逮捕に役立つ情報の確保に、より多くの人の確実な目撃情報を得ることを目指すものである。【解決手段】郵便番号、学校名、学年、組、などを記載し、個人名は番号により匿名になしたメモ用紙に目撃を為した不審な事柄を書き込み、警察、又は学校に通報をなし、防犯及び犯罪の解決に役立てようとするものである。【選択図】図１
2007185935.tif 000002
【特許請求の範囲】
【請求項１】
メモ用紙に郵便番号が記載され出版地域の特定が出来、同じく記載された数字により特定の個人が判別出来る事を特徴とするメモ用紙
【発明の詳細な説明】
【技術分野】
【０００１】  本発明は防犯に関するものである
【背景技術】
【０００２】  最近の犯罪情勢は年々増加、凶悪化をなし幼少の子供までが被害者になっており、言葉を失う事件が多く報じられる現状である、然るに、警察力が事件件数に追いつかない現状である
【発明の開示】
【発明が解決しようとする課題】
【０００３】  この警察の事件解決に対する不審情報の収集力を向上させようと為すものである
【課題を解決するための手段】
【０００４】  即ち、第１図のごときメモ用紙を例えば小学生から中学生又は父兄、学校関係者、その他協力者、などの多くの人に携帯を為してもらい、もし不審な事柄に遭遇を為した時、即、メモに記録をしてもらう、そして不審情報は、学校、警察の窓口に即、伝達をなし警戒防犯対策を為す
【発明の効果】
【０００５】この防犯用のメモ用紙を常に携帯している認識が、不審なものに対する関心を向上させ、防犯と犯罪に貢献をなす確実な情報記録が可能になるものである
【発明を実施するための最良の形態】
【０００６】メモ用紙に従い説明を為す、メモ用紙記載の郵便番号で、メモ用紙発行の地域の識別が可能になり、学校、学年、番号により匿名の個人が確定できる、なお、メモ用紙に枠取り、両面印字をなし、又、蛍光、蓄光インキなどを用いれば夜間捜査にも優位に対応できるものになり、又、耐水用紙を用いれば風雨にも対応できるものである、また筆記具のインクに耐水性の物を使用すれば、救難、救助メモとしても役立つものである
【図面の簡単な説明】
【０００７】
【図１】  本発明のメモ用紙
【符号の説明】
【０００８】  １・・・メモ用紙記載、地域特定用郵便番号
２・・・個人匿名用、ナンバー数字
【図１】
2007185935.tif 000003
(57)【要約】【課題】屠殺場において、解体した動物を洗浄した多量の獣脂含有廃水が排出されるが、獣脂含有廃水は多量の獣脂と界面活性剤とを含むため、そのまま放出すると環境汚染を生じる虞がある。しかしながら獣脂含有廃水中から獣脂や界面活性剤を分離除去するには、微生物分解処理設備等の大規模な処理設備が必要であった。本発明は、大規模な設備を必要とせず、容易に獣脂含有廃水を処理することのできる獣脂含有廃水の処理方法を提供することを目的とする。【解決手段】本発明の獣脂含有廃水の処理方法は、屠殺場において解体された動物を水溶性脂肪酸金属塩で洗浄した獣脂含有廃水に、獣脂含有廃水中の水溶性脂肪酸金属塩量の０．１〜２倍モル量の酸を加えて油相と、水相とに分離して獣脂を回収することを特徴とする。【選択図】なし【特許請求の範囲】
【請求項１】
屠殺場において解体された動物を水溶性脂肪酸金属塩で洗浄した獣脂含有廃水に、獣脂含有廃水中の水溶性脂肪酸金属塩量の０．１〜２倍モル量の酸を加えて油相と、水相とに分離して獣脂を回収することを特徴とする獣脂含有廃水の処理方法。
【請求項２】
獣脂を分離回収した後の水相に、水酸化カルシウム及び／又は水酸化マグネシウムを添加し、水相中の脂肪酸を不溶性脂肪酸金属塩として沈殿させて回収する請求項１記載の獣脂含有廃水の処理方法。
【発明の詳細な説明】
【技術分野】
【０００１】
本発明は獣脂含有廃水の処理方法に関する。
【背景技術】
【０００２】
屠殺場で解体された動物を界面活性剤を用いて脱脂洗浄した際に生じる獣脂含有廃水は、そのまま放出すると河川等を汚染することとなる。このため放出前に廃水中の油脂や界面活性剤を微生物分解する等の処理が必要であるが、大規模な排水処理設備が必要となるという問題があった。界面活性剤を使用することなく、水のみを用いて被洗浄物の脱脂洗浄する方法として、超音波を利用した方法が知られている（特許文献１）。
【０００３】
【特許文献１】特開平７−１０８２３６号公報
【発明の開示】
【発明が解決しようとする課題】
【０００４】
特許文献１に記載されている方法は、洗浄槽において洗浄水に超音波を印加して被洗浄物に付着した油膜の表面を乳化して離脱し易くした後、流体を高速で吹き付けて油膜表面の乳化層を離脱させ、再び露出した油膜層の乳化、離脱を繰り返して脱脂洗浄する方法である。しかしながらこの方法は金属や樹脂等の表面に付着した油脂を除去することを目的とするものであり、高付加価値の電子部品等の洗浄には適しているが、洗浄用の特定な槽が必要であり、非常に洗浄装置が高価であるため、屠殺場で解体された動物の洗浄用としてはコストが高くつくという問題がある。また屠殺場では、獣脂以外にも血液等が混入する為、装置自体が腐食や劣化しやすい。更に使用する洗浄剤の種類によっては有害物質を含有する可能性もあり、また廃水の処理能力が、屠殺場において排出される獣脂含有廃水量に追いつかず、実用性が低いという問題があった。
【０００５】
本発明者らは従来の問題を解決すべく鋭意研究した結果なされたもので、大規模な排水処理設備の新規導入を必要とせず、効率的に獣脂含有廃水から獣脂を分離回収することができ、排水負荷の低減化を図ることができる獣脂含有廃水の処理方法を提供することを目的とする。
【課題を解決するための手段】
【０００６】
即ち本発明は、
（１）屠殺場において解体された動物を水溶性脂肪酸金属塩で洗浄した獣脂含有廃水に、獣脂含有廃水中の水溶性脂肪酸金属塩量の０．１〜２倍モル量の酸を加えて油相と、水相とに分離して獣脂を回収することを特徴とする獣脂含有廃水の処理方法、
（２）獣脂を分離回収した後の水相に、水酸化カルシウム及び／又は水酸化マグネシウムを添加し、水相中の脂肪酸を不溶性脂肪酸金属塩として沈殿させて回収する上記（１）の獣脂含有廃水の処理方法、
を要旨とするものである。
【発明の効果】
【０００７】
本発明方法は、獣脂含有廃水から容易に獣脂を回収して再利用が可能であり、また洗浄に用いた脂肪酸金属塩の構成脂肪酸も容易に回収することができ、処理後の廃水のＣＯＤを容易に低減化することができる。また油相分離後の水相に水酸化カルシウム及び／又は水酸化マグネシウムを添加して水相中の水溶性脂肪酸金属塩を沈殿除去することにより、更に廃水のＣＯＤを低減化でき、廃水の処理負担を軽減することができる。
【発明を実施するための最良の形態】
【０００８】
本発明において屠殺場で解体された動物の獣脂を洗浄する水溶性脂肪酸金属塩としては、飽和又は不飽和高級脂肪酸のカリウム塩、ナトリウム塩、アミン塩が挙げられるが、炭素数８〜２２の脂肪酸のナトリウム塩、カリウム塩が好ましい。
【０００９】
獣脂を水溶性脂肪酸金属塩で洗浄して生成した獣脂含有廃水に、酸を添加することにより獣脂の油相と、水相とを分離させる。添加する酸は、有機酸、無機酸のいずれでも良いが、排水処理の負荷が少ない無機酸が好ましい。無機酸としては例えば、塩酸、硫酸、硝酸等が挙げられるが、塩酸、硫酸が好ましい。酸は獣脂含有廃水中の水溶性脂肪酸金属塩量の０．１〜２倍モル量を添加するが、０．５〜１．５倍モル量が好ましいく、ｐＨが２〜９となるように添加することが好ましい。獣脂含有廃水に酸を添加して十分攪拌した後、静置することで油相と水相とが分離する。油相と水相は静置だけで分離させることができるが、必要によって補助的に遠心分離を行っても良い。
【００１０】
油相を分離した後の水相には、水溶性脂肪酸金属塩が溶解しているため、水相の処理が容易となるようにするために、水相中から脂肪酸金属塩を除去することが好ましい。水相中の水溶性脂肪酸金属塩は、水相に水酸化カルシウム及び／又は水酸化マグネシウムを、油相を分離後の水相に添加することにより水相中に溶解している水溶性脂肪酸金属塩を不溶性の金属石鹸として析出させ、更に水相中の獣脂由来の蛋白質も析出した金属石鹸に吸着され、ほぼ完全に除去することができる。水酸化カルシウム及び／又は水酸化マグネシウムの添加量は、水相１００重量部に対して０．０００１〜１０重量部が好ましい。本発明方法により分離した獣脂は、燃料や、脱水剤として再利用することができる。
【実施例】
【００１１】
以下、実施例を挙げて本発明を更に詳細に説明する。尚、以下の実施例、比較例は屠殺場で解体された動物を界面活性剤（水溶性脂肪酸金属塩又はその他の界面活性剤）で洗浄した獣脂含有廃水を、牛脂に界面活性剤を添加して模擬的に形成して行った。
実施例１〜４、比較例１〜４
牛脂１００ｇを１リットルの水に入れ、これに界面活性剤１０ｇを入れ攪拌したものを獣脂含有廃水として用いた。この廃水に３５％塩酸を表１に示すｐＨとなるまで添加して攪拌し、分液ロートに入れて静置して水相と油相とを分離させた。分離後の水相を取り出して、ＣＯＤを測定した。更に水相に水酸化カルシウム０．１ｇを加えて攪拌し、ろ過した後、ろ液のＣＯＤを測定した。結果を表１に示した。
【００１２】
（表１）
2007117939.tif 000002
(57)【要約】      （修正有）【課題】詰め替え作業をなくし、積まれたアレ−とスペ−サ−が崩れる危険性を零にするアレ−コ−テイング冶具を提供する。【解決手段】２枚のベ−スを用意し、まず１枚のベ−スにアレ−とスペ−サ−を積みそれをコ−テイングした後、アレイとスペ−サ−が積まれたままの状態で、２枚目のベ−スに反転移動する。これを再度コ−テイングする。【選択図】図４
2007117974.tif 000002
【特許請求の範囲】
【請求項１】
アレイとスペ−サ−が、積まれた状態のままで、コ−テイング面を反転出来る、アレイコ−テイング冶具。
【発明の詳細な説明】
【技術分野】
【０００１】アレイのコ−テイングにかかわる。
【背景技術】
【０００２】従来のアレイ．コ−テイング冶具は
【図１】
と
【図２】
の方式がある。
【図１】
この方式では、次のような工程が必要になる。
▲１▼冶具にアレイとスペ−サ−を積む。
▲２▼積んだ冶具をコ−テイング機にいれてコ−テイングする。
▲３▼コ−テイングされた冶具をコ−テイング機から取り出し冶具からコ−テイングされたアレイとスペ−サ−を取り出す。
▲４▼アレイとスペ−サ−を、コ−テイングされた面を逆にして再度、冶具に積む。
▲５▼詰め替えられた冶具をコ−テイング機に入れコ−テイングする。
この工程で▲３▼▲４▼の作業は、非常に困難な作業で、又長時間、費やするので図２の方式が考えられた。
【図２】
この方式では、上下のベ−スは角穴があいた、枠状であるので両方向からコ−テイング出来る。
このことに依り、片面コ−テイング後、冶具ごと反転し、コ−テイング機に入れ、反対面のコ−テイングができる。
従って、詰め替え作業を無くす事ができる。
しかしこの方式にも、次の問題が有る。
○アレイをスペ−サ−が、はさんで、中空で保持しなければならない構造のため、スペ−サ−の機械的強度が必要となり、材質に超鋼、サファイアなど高価なものになる。
○小さな振動で、積まれたアレ−とスペサ−が崩れることがある。
【発明が解決しようとする課題】
【０００３】○詰め替え作業をなくす。
○積まれたアレ−とスペ−サ−が崩れる危険性を零にする。
【課題を解決するための手段】
【０００４】アレイとスペ−サ−が、積まれた状態のままで、コ−テイング面を反転する。
【発明を実施するための最良の形態】
【０００５】発明の実施の形態を実施例にもとずき
【図３】
【図４】
で説明する。
【図３】
は、構成図で、ベ−ス１、ライナ−群、ベ−ス２で構成される。
○ベ−ス１
厚さ６ｍｍのＳＵＳの板でアレ−とスペ−サ−が接する面は鏡面仕上げされている。
○ライナ−群
ＳＵＳ板でＡ，Ｂ，Ｂ，Ｃの４枚で構成されている。
厚さは４枚同値でアレ−巾＋０．５ｍｍである。
○ベ−ス２
材質、寸法はベ−ス１と同じで、穴、タップ位置はベ−ス１に対して対称となっている。
【図４】
は作業説明図である。
2007117974.tif 000003
2007117974.tif 000004
【発明の効果】
【０００６】○詰め替え作業をなくすことができた。
○積まれたアレ−とスペ−サ−が崩れる危険性が零になった。
【図面の簡単な説明】
【図１】    従来のアレイ．コ−テイング冶具
【図２】    従来のアレイ．コ−テイング冶具
【図３】    今回のアレイ．コ−テイング冶具の構成図
【図４】    今回のアレイ．コ−テイング冶具の作業説明図
【図１】
2007117974.tif 000005
【図２】
2007117974.tif 000006
【図３】
2007117974.tif 000007
【図４】
2007117974.tif 000008